(57)【要約】【課題】机に設置されるタイプの空調機であって、取り扱いが簡易な空調機に関する技術を提供することを課題とする。【解決手段】本発明は、机の天板の裏面に、吹出し口が机の手前に向かって開口するように後付けされるファンコイルユニットであって、空気を吸込み、空気を吹出すファンと、ファンから吹出される空気を吹出し口へ案内するダクトと、ファンから吹出される空気が吹出し口へ進行するダクト内の空間を、進行する方向へ狭めていき、空間に存在する空気と熱交換する板状のコイルと、を備える、ファンコイルユニットである。【選択図】図１
2020165543.tif 000002
【特許請求の範囲】
【請求項１】
机の天板の裏面に、吹出し口が前記机の手前に向かって開口するように後付けされるファンコイルユニットであって、
空気を吸込み、空気を吹出すファンと、
前記ファンから吹出される空気を前記吹出し口へ案内するダクトと、
前記ファンから吹出される空気が前記吹出し口へ進行する前記ダクト内の空間を、前記進行する方向へ狭めていき、前記空間に存在する空気と熱交換する板状のコイルと、を備える、
ファンコイルユニット。
【請求項２】
前記ファンは、前記机の天板の裏面方向に空気を吹出し、
前記板状のコイルの一方の面は、前記ファンから吹出され、前記ダクトの天面に当たった空気が前記吹出し口へ進行する前記ダクト内の空間を、前記進行する方向に狭めていくように、前記進行する方向に対して所定の角度をなして設けられる、
請求項１に記載のファンコイルユニット。
【請求項３】
前記ファンは、前記吹出し口が開口する方向とは反対側の方向の、前記吹出し口から見て奥側に、空気を吹出す面が仰向けとなるように設置される、
請求項１又は２に記載のファンコイルユニット。
【請求項４】
前記ダクトは、
前記ファン及び前記コイルを収容する第一ダクトと、
矩形状であり、前記第一ダクトよりも前記吹出し口側に配置され、前記第一ダクトと連通し、底部が前記第一ダクトの底面に対して、前記机の天板の裏面方向に段差状に設けられる第二ダクトと、を有し、
前記段差を形成する部分は、所定の傾斜面を含む、
請求項１から３のうち何れか一項に記載のファンコイルユニット。
【請求項５】
天板と、
前記天板の裏面に後付けされる請求項１から４のうち何れか一項に記載のファンコイルユニットと、を備える、
机。
【発明の詳細な説明】
【技術分野】
【０００１】
本発明は、ファンコイルユニット及び机に関する。
【背景技術】
【０００２】
空調機を机と一体に形成する技術が開示されている（例えば特許文献１―２）。
【先行技術文献】
【特許文献】
【０００３】
【特許文献１】実開昭５３−７８０７６号公報
【特許文献２】特開２０１８−０４０５１４号公報
【発明の概要】
【発明が解決しようとする課題】
【０００４】
机と一体に空調機を形成する場合、形成前に机及び空調機の仕様を決定することが考えられる。例えば、空調機と一体に形成可能な机を選択する、または机のサイズに合わせて空調機を形成する部品をカスタマイズすることが考えられる。
【０００５】
しかしながら、空調機と一体に形成可能な机を選択する場合、机の選択の自由度が狭まることが考えられる。また、机のサイズに合わせて空調機を形成する部品をカスタマイズする場合、初期コストが嵩むことが考えられる。また、空調機を一旦机と一体に形成すると、机又は空調機の仕様に変更があった場合、当該変更に対して柔軟に対応することが困難と考えられる。
【０００６】
また、空調機は、所定の重量を有するため、空調機のレイアウトの変更は煩雑であると考えられる。また、机と一体に空調機を形成した後に空調機のメンテナンスを行う場合、空調機のメンテナンスは煩雑となることが考えられる。つまり、机と一体に空調機を設置する場合、空調機の取り扱いは煩雑になるものと考えられる。
【０００７】
そこで、本願は、机に設置されるタイプの空調機であって、取り扱いが簡易な空調機に関する技術を提供することを課題とする。
【課題を解決するための手段】
【０００８】
上記課題を解決するため、本発明は、机の外部にファンコイルユニットを後付けすることとした。
【０００９】
詳細には、本発明は、机の天板の裏面に、吹出し口が机の手前に向かって開口するように後付けされるファンコイルユニットであって、空気を吸込み、空気を吹出すファンと、ファンから吹出される空気を吹出し口へ案内するダクトと、ファンから吹出される空気が吹出し口へ進行するダクト内の空間を、進行する方向へ狭めていき、空間に存在する空気と熱交換する板状のコイルと、を備える、ファンコイルユニットである。
【００１０】
このようなファンコイルユニットによれば、ファンから吹出された空気がコイルと熱交換する。よって、机と一体に形成される空調機と同様に、温度調節された吹出し空気が着座者へ給気されることとなる。
【００１１】
また、このようなファンコイルユニットによれば、ファンコイルユニットを机に設置した後にファンコイルユニット又は机の仕様が変更された場合であっても、ファンコイルユ
ニットを取り外し、仕様の変更に対して容易に対応可能となる。また、このようなファンコイルユニットによれば、ファン及びコイルから形成されるため、簡易な構造となる。よって、ファンコイルユニットの重さは低減され、ファンコイルユニットのレイアウトの変更は容易となる。また、このようなファンコイルユニットによれば、机から取り外してメンテナンスを簡易に行うことができる。つまり、このようなファンコイルユニットの場合、取り扱いが簡易となる。
【００１２】
また、このようなファンコイルユニットによれば、机の外部に後付けされるため、ファンコイルユニットを収容するスペースを机が備えている必要はなく、机の選択の自由度は向上する。また、このようなファンコイルユニットによれば、机に後付けされるため、机に合わせてファンコイルユニットを形成する部品をカスタマイズせずに済む。よって、初期コストは抑制される。
【００１３】
また、このようなファンコイルユニットによれば、ファンは着座者から見て奥側に設置される。よって、着座者がファンの動作音を感じる度合いは低減される。また、着座者から見て奥側の場所は、着座者が着座した場合に着座者の手前側の場所と比べて着座者の脚が接触しにくい場所である。よって、当該場所に大きなファンを備える場合であっても、着座者が着座した場合に、着座者の脚がファンを収容する収容部に当たることは抑制される。換言すれば、サイズの大きいファンを設置することによりファンの出力は抑制され、ファンの動作音は低減される。
【００１４】
また、このようなファンコイルユニットによれば、ファンから吹出された空気が吹出し口へ進行するダクト内の空間は、コイルによって当該進行する方向に狭められていく。よって、吹出し空気は、当該空間をスムーズに流れつつも、コイルと一様に熱交換することになる。よって、吹出し空気とコイルとが熱交換する効率の低下が抑制され、さらに吹出し空気の圧力損失も抑制される。
【００１５】
また、ファンは、机の天板の裏面方向に空気を吹出し、板状のコイルの一方の面は、ファンから吹出され、ダクトの天面に当たった空気が吹出し口へ進行するダクト内の空間を、進行する方向に狭めていくように、進行する方向に対して所定の角度をなして設けられる、ファンコイルユニットであってもよい。
【００１６】
このようなファンコイルユニットによれば、ファンから吹出された空気が吹出し口へ進行するダクト内の空間は、コイルによって当該進行する方向に狭められていく。よって、吹出し空気は、当該空間をスムーズに流れつつも、コイルと一様に熱交換することになる。よって、吹出し空気とコイルとが熱交換する効率の低下が抑制され、さらに吹出し空気の圧力損失も抑制される。
【００１７】
また、ファンは、吹出し口が開口する方向とは反対側の方向の、吹出し口から見て奥側に、空気を吹出す面が仰向けとなるように設置されてもよい。
【００１８】
このようなファンコイルユニットによれば、着座者が着座する位置から離れた場所にファンが設置されることになる。よって、着座者が着座した場合にファンの動作音を感じる度合いは低減される。よって、着座者が感じる不快感は低減される。また、このようなファンコイルユニットによれば、ファンは仰向けに設置されるため、ファンを収容する収容部の薄型化が可能となる。よって、着座者が着座した場合に着座者の体の一部が収容部へ接触することは低減される。
【００１９】
また、ダクトは、ファン及びコイルを収容する第一ダクトと、矩形状であり、第一ダクトよりも吹出し口側に配置され、第一ダクトと連通し、底部が第一ダクトの底面に対して
、机の天板の裏面方向に段差状に設けられる第二ダクトと、を有し、段差を形成する部分は、所定の傾斜面を含む、ファンコイルユニットであってもよい。
【００２０】
このようなファンコイルユニットによれば、第二ダクトは吹出し空気の通過面積を確保しつつ薄型化されることになる。よって、着座者へ好適に給気されつつも、着座者の脚が管路に接触し、着座者に不快感を与えることは抑制される。また、段差には所定の傾斜がつけられているため、コイルを形成する流管同士の隙間を通過した吹出し空気が、傾斜に沿って着座者の着座側へ自然に進行することになる。よって、吹出し空気が段差部分を通過する場合の圧力損失は抑制される。
【００２１】
また、ファンが設置される場所から着座者の着座側への方向に対する、第一ダクトの断面の大きさよりも、第二ダクトの断面の大きさの方が小さいこととなる。よって、ファンから吹出された吹出し空気は、第二ダクトへ侵入した場合にその流速が増大する。よって、着座者の着座側の第二ダクトの末端に給気口が設けられる場合、当該給気口から着座者へ向けて好適な勢いの空気が給気される。
【００２２】
また、本発明は、天板と、天板の裏面に後付けされる上記の何れかに記載のファンコイルユニットと、を備える、机であってもよい。
【発明の効果】
【００２３】
本発明によれば、机に設置されるタイプの空調機であって、取り扱いが簡易な空調機に関する技術を提供することができる。
【図面の簡単な説明】
【００２４】
【図１】図１は、実施形態に係る空調機の構成の概要の一例を示している。（Ａ）は、空調機の上面図の概要の一例を示している。（Ｂ）は、空調機の断面図の概要の一例を示している。
【図２】図２は、空調機の動作のフローチャートの一例を示している。
【図３】図３は、空調機が動作している場合の概要の一例を示している。
【図４】図４は、空調機の概要の一例を示している。（Ａ）は、空調機の断面図の概要の一例を示している。（Ｂ）は、空調機の斜視図の一例を示している。
【図５】図５は、空調機の断面図の概要の一例を示している。
【発明を実施するための形態】
【００２５】
以下、本発明の実施形態について説明する。以下に示す実施形態は、本発明の実施形態の一例であり、本発明の技術的範囲を以下の態様に限定するものではない。
【００２６】
図１は、本実施形態に係る空調機１の構成の概要の一例を示している。図１（Ａ）は、空調機１の上面図の概要の一例を示している。図１（Ｂ）は、空調機１の断面図の概要の一例を示している。ここで、空調機１は、本発明の「ファンコイルユニット」の一例である。
【００２７】
図１に示されるように、空調機１は、机１００の天板１０１の裏面に後付される。そして、空調機１は、ダクト２を備える。ダクト２には、ビスが貫通する孔が設けられ、机１００の天板１０１の裏面の所定の位置に設けられた穴に当該孔を貫通したビスが係合されることにより固定される。
【００２８】
また、空調機１は、２つのファン３を備える。そして、図１に示されるように、ダクト２は、ファン３を収容する収容部４を備える。ここで、収容部４は、本発明の「第一ダクト」の一例である。ファン３は、天板１０１の裏面方向に空気が吹出されるように、机１
００の横方向に並べて設置される。また、ファン３は、例えば直流の電流がファン３の内部に設けられるモータに印加されることにより、ファン３に設けられる羽根が回転する、いわゆる直流ファンであってもよい。
【００２９】
また、空調機１は、収容部４に、ファン３が動作した場合に外部から空気を吸込む吸込み口４１を備える。吸込み口４１は、ファン３の下部の収容部４に設けられる。また、吸込み口４１は、空調機１が机１００の天板１０１の裏面に後付けされた場合に、机１００の幕板１０２側に位置することになる。このように吸込み口４１及びファン３を設けることで、収容部４を簡易な構造としつつ、薄型化することができる。また、ファン３が横方向に並べて設置されることで、収容部４の厚みは薄型化されつつも、吹出し空気量は増大することになる。
【００３０】
また、空調機１は、コイル７を備える。コイル７は、板状であり、平面状に蛇行する流管部材７１から形成される。流管部材７１の内部には、所定の熱媒体が通過する。つまり、所定の熱媒体とファン３から吹出された空気とが流管部材７１を介して熱交換することになる。ここで所定の熱媒体は、例えば外部の装置から供給される冷水あるいは温水であってもよい。また、コイル７は、平面状に蛇行する流管部材７１の外表面７２が、ファン３が設置される方向を向くように仰向けに設けられる。つまり、コイル７は、ファン３から吹出された空気を熱交換させるために水平面に対して直立するように設置されてはいない。よって、収容部４は薄型化される。
【００３１】
また、空調機１のダクト２は、ファン３から吹出され、コイル７の流管部材７１同士の間の隙間を通過した空気が着座者の方向へ向かう場合に通過する矩形状の管路５を備える。ここで、収容部４と管路５とは連通している。また、管路５は、その底部が収容部４の底面に対して机１００の天板１０１の裏面方向に段差状に設けられる。また、ダクト２は、当該段差部分に、傾斜面６を備える。ここで、管路５は、本発明の「第二ダクト」の一例である。
【００３２】
また、空調機１は、管路５の着座者が着座する側の机１００の先端の下部に吹出しフェース１９を備える。そして、吹出しフェース１９は、複数の小さな孔が横に並んだ給気口２０を備える。管路５を通過した吹出し空気は、給気口２０を介して着座者へ給気される。ここで、吹出しフェース１９は、水平面に対して傾斜した状態で設置されており、給気口２０から吹出される空気は、着座者の上半身へ向けて斜め上方向に進行することになる。
【００３３】
また、空調機１は、基板１０を備える。基板１０の実装面には、ファン３と電気的に接続し、ファン３の動作を制御する制御チップ１１が実装される。また、基板１０の実装面には、外部の端末と無線通信を行うことのできる無線モジュール１２を備える。
【００３４】
また、ダクト２の各部分の寸法は、管路５の着座者から見た奥行き方向の長さは、例えば３８０ｍｍ程度である。また、管路５の厚みは、例えば２０ｍｍ程度である。また、収容部４、及び収容部４と管路５とが連通する段差部分の着座者から見た奥行き方向の長さの合計は、例えば２７０ｍｍ程度である。また、収容部４の厚みは、例えば８０ｍｍ程度である。また、吹出しフェース１９に設けられる給気口２０の縦方向の長さは、例えば５ｍｍ程度である。
【００３５】
図２は、空調機１の動作のフローチャートの一例を示している。また、図３は、空調機１が動作している場合の概要の一例を示している。また、以下の例では、所定の熱媒体を冷水とし、ファン３から吹出された空気がコイル７を通過する場合に冷却され、当該冷却された冷風が、着座者へ向けて給気されるものとする。
【００３６】
ステップＳ１０１では、無線モジュール１２が、着座者が所有するスマートフォンなどの端末から空調機１の動作を要求する動作要求信号を受信する（Ｓ１０１）。そして、ステップＳ１０２では、無線モジュール１２が動作要求信号を制御チップ１１へ転送する（Ｓ１０２）。
【００３７】
そして、ステップＳ１０３では、制御チップ１１が、動作要求信号に従い、ファン３の羽根を回転させる制御信号を生成する。よって、ファン３の羽根が回転することとなる。そして、ファン３の羽根が回転することにより、着座者の脚元空間から吸込み口４１を介してファン３へ空気が吸込まれる。そして、ファン３の吹出し口９から空気が着座者が着座する方向へ空気が吹き出される（Ｓ１０３）。ここで、コイル７の流管部材７１の内部には、流管部材７１から熱を吸熱する冷水が通過しているものとする。ここで、冷水は、コイル７の下部（図１（Ｂ）において収容部４の底面近傍に位置する部分）を形成する流管部材７１に設けられる流入口から流管部材７１内へ流入する。そして、ファン３から吹出される空気と熱交換しながら、コイル７の上部（図１（Ｂ）において収容部４の天面近傍に位置する部分）を形成する流管部材７１内へ流れていく。そして、冷水はコイル７の上部を形成する流管部材７１に設けられる流出口から流出する。つまり、コイル７の下部を形成する流管部材７１内を流れる冷水の温度は低く、コイル７の上方へ向かうに連れて冷水の温度は高くなる。
【００３８】
ここで、ファン３から吹出された吹出し空気の少なくとも一部は、天板１０１の裏面方向に当たった後、コイル７の外表面７２に沿って進行する。よって、吹出し空気が一様にコイル７と熱交換し、冷却されることになる。また、吹出し空気の進行方向の空間は、外表面７２によって徐々に遮られているため、吹出し空気の流れは、スムーズになる。よって、吹出し空気の圧力損失は抑制される。また、冷却された吹出し空気は、流管部材７１同士の隙間を通過する。
【００３９】
そして、流管部材７１同士の隙間を通過した吹出し空気は、収容部４と管路５とが連通する段差部分に達する。ここで、段差部分には、傾斜面６が設けられている。よって、段差部分に達した吹出し空気は、傾斜面６に沿って無駄なく自然に管路５の内部へ進行することになる。その後、吹出し空気は、管路５を通過し、給気口２０を介して着座者へ給気される。ここで、空調機１は、給気口２０にルーバ等の整流部材を備え、給気口２０からの給気が着座者の首などの特定の部位へ集中するように調節されてもよい。
【００４０】
＜作用効果＞
【００４１】
上記のような空調機１によれば、ファン３から吹出された空気がコイル７と熱交換する。よって、机１００一体に空調機が形成される場合と同様に、温度調節された冷気が着座者へ給気されることとなる。
【００４２】
また、上記のような空調機１によれば、空調機１を机１００に後付けした後に空調機１又は机１００の仕様が変更された場合であっても、空調機１と机１００とを固定しているビスを外すことによって空調機１を机１００から取り外すことができる。そして、仕様が変更された空調機１を再度机１００へ固定することが容易に行える。つまり、上記のような空調機１によれば、仕様の変更に対して容易に対応可能となる。
【００４３】
また、上記のような空調機１は、ファン３及びコイル７から形成されるため、簡易な構造となる。よって、空調機１の重さは低減され、空調機１のレイアウトの変更は容易となる。また、上記のような空調機１によれば、机１００から取り外してメンテナンスを簡易に行うことができる。つまり、上記のような空調機１によれば、取り扱いが簡易となる。
【００４４】
また、上記のような空調機１によれば、机１００の天板１０１の裏面に後付けされるため、空調機１を収容するスペースを机１００が備えている必要はなく、机１００の選択の自由度は向上する。また、上記のような空調機１によれば、机１００の天板１０１の裏面に後付けされるため、机１００に合わせて空調機１を形成する部品をカスタマイズせずに済む。よって、初期コストは抑制される。
【００４５】
また、上記のような空調機１によれば、ファン３は着座者から見て奥側に設置される。よって、着座者がファン３の動作音を感じる度合いは低減される。また、着座者から見て奥側の場所は、着座者が着座した場合に着座者の手前側の場所と比べて着座者の脚が接触しにくい場所である。よって、当該場所に設けられるファン３のサイズを大きくとった場合であっても、着座者が着座した場合に、着座者の脚がファン３を収容する収容部４の下面に当たることは抑制される。換言すれば、サイズの大きいファン３を設置することによりファン３の出力は抑制され、ファン３の動作音は低減される。
【００４６】
また、上記のような空調機１によれば、ファン３から吹出された空気が着座者の着座側へ進行する空間は、コイル７の外表面７２によって当該進行する方向に狭められていく。よって、吹出し空気は、当該空間をスムーズに流れつつも、コイル７と一様に熱交換することになる。よって、吹出し空気とコイル７とが熱交換する効率の低下が抑制され、さらに吹出し空気の圧力損失も抑制される。
【００４７】
また、上記のような空調機１によれば、コイル７の外表面７２が、ファン３が設置される方向を向くように仰向けに設けられるため、コイル７の高さ方向の寸法は抑制される。よって、空調機１の収容部４の薄型化が実現される。
【００４８】
また、上記のような空調機１によれば、管路５は矩形状であるため、吹出し空気の通過面積が確保されつつも薄型化されることになる。よって、着座者へ好適に冷気が給気されつつも、着座者の脚が管路５に接触し、着座者に不快感を与えることは抑制される。また、収容部４と管路５との連通部分の段差には傾斜面６がつけられているため、コイル７の流管部材７１同士の間の隙間を通過した吹出し空気が、傾斜面６に沿って着座者の着座側へ無駄なく自然に進行することになる。よって、吹出し空気が収容部４から管路５へ侵入する場合に、当該段差に当たることにより圧力損失されることは抑制される。
【００４９】
また、ファン３が設置される場所から着座者の着座側への方向に対する、収容部４の断面の大きさよりも、管路５の断面の大きさの方が小さいこととなる。よって、ファン３の吹出し口９から吹出された吹出し空気は、管路５へ侵入した場合にその流速が増大する。よって、着座者の着座側の管路５の末端の給気口２０から着座者へ向けて好適な勢いの空気が給気される。
【００５０】
また、上記のような空調機１によれば、着座者の脚元空間（天板の下方空間）からファン３へ空気が吸込まれ、着座者へ温度調節された空気が吹出されている。よって、着座者の脚元空間に暖気が溜まっている場合、当該暖気を取り除くとともに着座者へ冷風を給気することができる。つまり、上記のような空調機１は、着座者へ快適性を提供することができる。
【００５１】
＜変形例１＞
図４は、空調機１Ａの概要の一例を示している。図４（Ａ）は、空調機１Ａの断面図の概要の一例を示している。図４（Ｂ）は、空調機１Ａの斜視図の一例を示している。図４に示されるように、空調機１Ａは、天板１０１の裏面に補強材１０３を有する机１００Ａに後付けされる。つまり、空調機１Ａの管路５Ａの途中に補強材１０３が位置することと
なる。このような机１００Ａに後付けされる空調機１Ａの管路５Ａは、当該補強材１０３を覆う部分が布製のたわみ継手８によって形成される。
【００５２】
＜作用効果＞
上記のような空調機１Ａによれば、管路５Ａの薄型化が維持されつつも、ファン３の羽根が回転する場合の騒音は、当該騒音をなす空気の振動がたわみ継手に吸収される。よって、当該騒音が外部に漏れることが低減される。よって、着座者が着座した場合に、着座者がファン３の騒音を感じる度合いは低減される。よって、着座者が騒音を不快に感じることは抑制される。また、たわみ継手は、クッション性を有するため、着座者の体の一部が接触した場合であっても、着座者が不快に感じることは低減される。つまり、上記のような空調機１Ａによれば、着座者へ快適性を提供することができる。
【００５３】
＜変形例２＞
図５は、空調機１Ｂの断面図の概要の一例を示している。図５に示されるように、空調機１Ｂは、管路５を備えず、奥行き寸法を例えば３００ｍｍ程度に小さくした装置（厚みは、空調機１と同様に例えば８０ｍｍ程度）である。このような空調機１Ｂによれば、天板１０１の裏面に補強材１０３を有する机１００Ａに後付けされる場合、空調機１Ｂは、補強材１０３を回避することが可能となる。
【００５４】
また、空調機１Ｂは、収容部４の着座側の側面の上部に、給気口２０と同じように、複数の小さな孔が横に並んだ給気口２０Ａを備える。つまり、コイル７の流管部材７１同士の間の隙間を通過した空気が、給気口２０Ａを介して着座者へ給気される。また、給気口２０Ａから吹出される空気は、着座者の上半身へ向けて斜め上方向に進行することになる。
【００５５】
また、空調機１Ｂは、収容部４の内部であって給気口２０Ａの近傍にガイド２１を備える。ガイド２１は、コイル７の流管部材７１同士の間の隙間を通過した空気を給気口２０Ａへ案内する。また、ガイド２１は、図示しないが、収容部４との連結部分に回動部を備え、机１００Ａの横長方向を回転軸として回動可能に設置される。つまり、空調機１Ｂは、ガイド２１の向きを変更することにより、コイル７の流管部材７１同士の間の隙間を通過した空気が給気口２０Ａへ流れ込む向きや量が調節される。よって、給気口２０Ａから吹出される空気の向きや量も調節されることになる。また、空調機１Ｂは、収容部４の着座側の側面に、傾斜がつけられている傾斜面６Ａを備える。
【００５６】
＜作用効果＞
このような空調機１Ｂは、空調機１の効果と同様の効果を奏することができる。加えて、補強材１０３を備える机１００Ａに対しても、補強材１０３を避けるように管路５の寸法を変更することなく、簡易に机１００Ａに設置することができる。また、このような空調機１Ｂは、収容部４の着座側の側面には、傾斜がつけられた傾斜面６Ａが設けられているため、着座者が着座した場合に着座者の体の一部が空調機１Ｂの収容部４へ接触することは抑制される。つまり、このような空調機１Ｂは、着座者へ快適性を提供することができる。
【００５７】
また、このような空調機１Ｂによれば、ガイド２１を回動させることにより、給気口２０Ａから吹出される空気の向きや量が調節される。つまり、このような空調機１Ｂは、給気の向き、給気量、給気される空気が当たる体の部位などの着座者の要望に対して柔軟に対応可能な装置である。
【００５８】
＜その他変形例＞
上記の実施形態では、ファン３は、吹出される空気が、天板１０１の裏面を向くように
設置されている。そして、流管部材７１の外表面７２が、ファン３が設置される方向を向くように仰向けに設けられる。しかし、ファン３の吹出し口９は、天板１０１の裏面を向いていなくともよい。また、外表面７２は、ファン３が設置される方向を向くように仰向けに設けられていなくともよい。例えば、ファン３の吹出し口９が机の天板１０１の側方向を向いて設けられ、コイル７の外表面７２は、ファン３から見てファン３から吹出される吹出し空気の進行方向の空間を狭めていくように所定の角度をなして設けられていてもよい。
【００５９】
また、上記の実施形態では、管路５の底部は、収容部４の底面に対して机１００の天板１０１の裏面方向に段差状に設けられているが、当該段差部分は、設けられなくともよい。また、当該段差部分は設けられる場合に、段差部分に傾斜面６が設けられていなくともよい。
【００６０】
また、上記の実施形態では、ファン３から吹出される吹出し空気がコイル７と熱交換することにより冷却される例を示した。しかし、コイル７の流管部材７１に温水が流れ、ファン３から吹出される吹出し空気がコイル７と熱交換することにより加熱され、加熱された温風が着座者へ給気されてもよい。また、管路５は矩形状でなくともよい。
【００６１】
また、上記の実施形態では、空調機１は、着座者が着座して使用する机１００に後付けされる例を示したが、空調機１は、使用者が立った状態で使用する机に後付けされてもよい。
【００６２】
以上、本発明の好ましい実施の形態の一例を説明したが、本発明は図示の形態に限定されない。当業者であれば、特許請求の範囲に記載された思想の範疇内において、各種の変更例または修正例に想到し得ることは明らかであり、それらについても当然に本発明の技術的範囲に属するものと了解される。また、以上で開示した実施形態や変形例はそれぞれ組み合わせる事ができる。
【符号の説明】
【００６３】
１、１Ａ、１Ｂ: 空調機
２: ダクト
３: ファン
４: 収容部
５、５Ａ: 管路
６、６Ａ: 傾斜面
７: コイル
８：たわみ継手
９：吹出し口
１０: 基板
１１: 制御チップ
１２: 無線モジュール
１９: フェース
２０、２０Ａ: 給気口
２１：ガイド
４１: 吸込み口
７１: 流管部材
７２: 外表面
１００、１００Ａ: 机
１０１: 天板
１０２: 幕板
１０３: 補強材
【図１】
2020165543.tif 000003
【図２】
2020165543.tif 000004
【図３】
2020165543.tif 000005
【図４】
2020165543.tif 000006
【図５】
2020165543.tif 000007